(57)【要約】【課題】自分の見たい目的の画面までのリモコン操作手順が分かっている場合、目的の画面を表示するまでに途中で表示される画面の表示完了を待つことなくリモコン操作を連続的に行なうことで目的の画面を表示できる放送データ受信再生装置を提供する。【解決手段】放送内容に関する表示オブジェクトデータ４１と、この表示オブジェクトの画面上における表示を定義した画面レイアウト情報４３及び再生操作を定義した動作定義情報４４を含む画面定義データ４２とを有する表示画面を、送信単位として放送する放送データａを受信再生する放送データ受信再生装置であって、データ受信部５１と、再生操作に対応して生成された入力信号ｂを記憶する入力受信部５４，記憶管理部５６と、この５４，５６に記憶された信号ｂに対応する再生操作を、データ４２を参照して解読し、表示画面を遷移した画像信号ｃとして出力する表示画面制御部５２を備えている。【選択図】      図１
2004260534.tif 000002
【特許請求の範囲】
【請求項１】
放送内容に関する表示オブジェクトデータと、この表示オブジェクトデータに関する表示オブジェクトの画面上における表示状態を定義した画面レイアウト情報及び各種の再生操作をそれぞれ定義した動作定義情報を含む画面定義データとを有する表示画面を、送信単位として放送する放送データを受信再生する放送データ受信再生装置であって、
前記放送データを受信する放送データ受信部と、
前記各種の再生操作に対応して生成された入力信号を順次記憶する入力信号記憶部と、
前記入力信号記憶部に記憶された前記入力信号を順次再生して、再生した前記入力信号に対応する再生操作を、前記放送データ受信部で受信した前記放送データ中の前記画面定義データを参照して解読して、当該再生操作に対応した前記画面定義データを用いて、前記表示画面の表示状態を遷移処理した画像信号を順次生成して出力する表示画面制御部と、
前記表示画面制御部から出力する前記画像信号を、外部の表示装置へ出力する画像出力部と、
を備えたことを特徴とする放送データ受信再生装置。
【請求項２】
放送内容に関する表示オブジェクトデータと、この表示オブジェクトデータに関する表示オブジェクトの画面上における表示状態を定義した画面レイアウト情報及び各種の再生操作をそれぞれ定義した動作定義情報を含む画面定義データとを有する表示画面を、送信単位として放送する放送データを受信再生する放送データ受信再生装置であって、
前記放送データを受信する放送データ受信部と、
前記各種の再生操作に基づいて前記放送データ受信部で受信した前記放送データ中の前記画面定義データを参照して解読して、当該再生操作に対応した前記画面定義データを用いて、前記表示画面の表示状態を遷移処理した画像信号を順次生成して出力する表示画面制御部と、
前記表示画面制御部から出力する前記画像信号を、外部の表示装置へ出力する画像出力部と、
録画開始時刻、録画終了時刻、放送チャンネルを含む録画予約情報を管理し、前記録画開始時刻に録画予約された前記放送チャンネルが受信されるように前記データ受信部を制御すると共に前記表示画面制御部に対して録画予約が開始されたという情報を送出し、この後、前記録画終了時刻には前記表示画面制御部に対して録画予約が終了されたという情報を送出する録画予約情報管理部とを、
備えたことを特徴とする放送データ受信再生装置。
【発明の詳細な説明】
【０００１】
【発明の属する技術分野】
本発明は、放送データの受信再生を行う放送データ受信再生装置に関するものである。
【０００２】
【従来の技術】
図６はデータ放送番組開始時に自動的に表示される表示画面の一例を示す図、図７はリモコンの数字ボタン４が押された場合の画面遷移後の表示画面の一例を示す図、図８はデータ放送番組の画面遷移構成の一例を示す図である。
【０００３】
現在のＢＳデジタル放送などのデジタル放送に於けるデータ放送番組では、番組視聴中のユーザのリモコンによる遠隔操作で表示画面が遷移するようなデータ放送番組が放送されている。
上記データ放送番組の表示画面遷移は、例えばニュース番組のような場合、番組開始時に自動的に図６に示すのようなメニュー画面が表示され、その後はユーザのリモコン操作に基づき画面遷移が行われるような形態が一般的である。図７は図６のメニュー画面にてリモコンの数字ボタン４が押され、スポーツのメニュー画面に遷移した様子を示している。
【０００４】
前記した番組全体の画面遷移の構成は図８に示すように複数階層で構成されており、ユーザのリモコン操作により画面遷移するようなデータ放送番組の場合、ユーザは自分が見たい画面を表示させるのにリモコン操作を複数回行なわなければならないことがある。例えば、図８の画面遷移構成において、画面４−１−２を表示させるには、画面０からリモコンの数字ボタンを４、１、２と順に押すことになる。
【０００５】
ところで、毎日または毎週放送されるニュース番組のような連続番組の場合、各回の放送においては、番組全体の画面遷移の構成は変更されず、画面に表示される内容のみ変更されることが一般的である。ユーザがこの番組全体の画面遷移を憶えており、自分が見たい画面までのリモコン操作手順が分かっている場合もあるが、ユーザが例えば番組開始時に自動的に表示される画面において、次の画面に遷移するのに要する時間よりも短い間隔で連続的にリモコン操作を行なっても、２回目以降のリモコン操作は受信機において受付けられず破棄され、１回目のリモコン操作による画面遷移しか受信機において実行されないことが一般的である。
【０００６】
例えば図８の画面０が表示されている時に、リモコンの数字ボタンを４、１、２と連続的に押しても、最初に押されたリモコンの数字ボタン４のみが有効となり、後のリモコンの数字ボタンの１、２は破棄され、結果として画面４に遷移することになる。これはユーザの誤操作等により連続的にリモコン操作が複数回行なわれた場合、ユーザの意図しない動作が連続的に実施されないようにするための受信機側での対処である。
【０００７】
さて、ユーザがリモコン操作器の操作キーの変更登録を行う場合に、まずそのメニューを表示させ、表示させたメニューから登録する操作命令と操作キーとを選択し、この選択に応じて操作命令と操作器との対応情報が装置本体に記憶される結果、リモコン操作器から所望のキーを押すとそのキーが登録された命令が実行される、遠隔入力システム及びその制御方法が、下記する特許文献１で知られている。
【０００８】
【特許文献１】
特開２０００−０６６７９５号公報
【０００９】
【発明が解決しようとする課題】
上述したように、たとえ自分が見たい画面までのリモコン操作手順が分かっていても、各リモコン操作による画面遷移動作が完了するのを待ってから、次の画面遷移を発生させるリモコン操作を行なわなければならないというユーザにとっての不便さがあった。例えば、画面遷移に３０秒の時間を要する場合、３画面先の画面を表示させるには、１分３０秒に渡り、リモコン操作を３０秒毎にしなければならない不都合があった。
【００１０】
こうした不都合を解消するために、学習型リモコンに、時系列な複数のリモコン操作とその操作間隔時間を伴って記憶させ、実行させることも考えられるが、画面遷移に要する時間は、番組の内容や受信のタイミングによって異なるものであり、その所要時間を予測することが難しい。所要時間を多めに見積もって記憶させ実行させることも考えられるが、その分余分に、ユーザが見たい画面に遷移する時間がかかることとなっていた。
【００１１】
本発明は、以上の点を考慮してなされたもので、次の画面に遷移するのに要する時間よりも短い間隔で連続的にリモコン操作を行なっても、適切に各リモコン操作に対する処理を実行することで、画面遷移操作の操作性を向上させた、放送データ受信再生装置を提供することを目的とする。
【００１２】
【課題を解決するための手段】
上記した課題を解決するために、本発明は下記（１），（２）の構成になる放送データ受信再生装置を提供する。
（１）    放送内容に関する表示オブジェクトデータと、この表示オブジェクトデータに関する表示オブジェクトの画面上における表示状態を定義した画面レイアウト情報及び各種の再生操作をそれぞれ定義した動作定義情報を含む画面定義データとを有する表示画面を、送信単位として放送する放送データを受信再生する放送データ受信再生装置であって、
前記放送データを受信する放送データ受信部と、
前記各種の再生操作に対応して生成された入力信号を順次記憶する入力信号記憶部と、
前記入力信号記憶部に記憶された前記入力信号を順次再生して、再生した前記入力信号に対応する再生操作を、前記放送データ受信部で受信した前記放送データ中の前記画面定義データを参照して解読して、当該再生操作に対応した前記画面定義データを用いて、前記表示画面の表示状態を遷移処理した画像信号を順次生成して出力する表示画面制御部と、
前記表示画面制御部から出力する前記画像信号を、外部の表示装置へ出力する画像出力部と、
を備えたことを特徴とする放送データ受信再生装置。
（２）    放送内容に関する表示オブジェクトデータと、この表示オブジェクトデータに関する表示オブジェクトの画面上における表示状態を定義した画面レイアウト情報及び各種の再生操作をそれぞれ定義した動作定義情報を含む画面定義データとを有する表示画面を、送信単位として放送する放送データを受信再生する放送データ受信再生装置であって、
前記放送データを受信する放送データ受信部と、
前記各種の再生操作に基づいて前記放送データ受信部で受信した前記放送データ中の前記画面定義データを参照して解読して、当該再生操作に対応した前記画面定義データを用いて、前記表示画面の表示状態を遷移処理した画像信号を順次生成して出力する表示画面制御部と、
前記表示画面制御部から出力する前記画像信号を、外部の表示装置へ出力する画像出力部と、
録画開始時刻、録画終了時刻、放送チャンネルを含む録画予約情報を管理し、前記録画開始時刻に録画予約された前記放送チャンネルが受信されるように前記データ受信部を制御すると共に前記表示画面制御部に対して録画予約が開始されたという情報を送出し、この後、前記録画終了時刻には前記表示画面制御部に対して録画予約が終了されたという情報を送出する録画予約情報管理部とを、
備えたことを特徴とする放送データ受信再生装置。
【００１３】
【発明の実施の形態】
本発明の一実施例である放送データ受信再生装置Ａは、図１〜図５に示すように、放送内容に関する表示オブジェクトデータ４１と、この表示オブジェクトデータ４１に関する表示オブジェクトの画面上における表示状態を定義した画面レイアウト情報４３及び各種の再生操作をそれぞれ定義した動作定義情報４４を含む画面定義データ４２とを有する表示画面を、送信単位として放送する放送データａを受信再生する放送データ受信再生装置であって、
前記放送データａを受信する放送データ受信部（データ受信部５１）と、
前記各種の再生操作に対応して生成された入力信号ｂを順次記憶する入力信号記憶部（入力受信部５４＋入力信号記憶管理部５６）と、
前記入力信号記憶部５４，５６に記憶された前記入力信号ｂを順次再生して、再生した前記入力信号ｂに対応する再生操作を、前記放送データ受信部５１で受信した前記放送データ中の前記画面定義データ４２を参照して解読して、当該再生操作に対応した前記画面定義データ４２を用いて、前記表示画面の表示状態を遷移処理した画像信号ｃを順次生成出力する表示画面制御部５２と、
前記表示画面制御部５２から出力する前記画像信号ｃを、外部の表示装置Ｍへ出力する画像出力部５３と、
を備えたことを特徴とする放送データ受信再生装置である。
【００１４】
また、本発明の他の実施例である放送データ受信再生装置Ｂは、図５、図９、図１０に示すように、放送内容に関する表示オブジェクトデータ４１と、この表示オブジェクトデータ４１に関する表示オブジェクトの画面上における表示状態を定義した画面レイアウト情報４３及び各種の再生操作をそれぞれ定義した動作定義情報４４を含む画面定義データ４２とを有する表示画面を、送信単位として放送する放送データａを受信再生する放送データ受信再生装置であって、
前記放送データを受信する放送データ受信部（データ受信部６１）と、
前記各種の再生操作に基づいて前記放送データ受信部６１で受信した前記放送データ中の前記画面定義データ４２を参照して解読して、当該再生操作に対応した前記画面定義データ４２を用いて、前記表示画面の表示状態を遷移処理した画像信号を順次生成して出力する表示画面制御部６２と、
前記表示画面制御部６２から出力する前記画像信号を、外部の表示装置（アナログ録画装置）へ出力する画像出力部６３と、
録画開始時刻、録画終了時刻、放送チャンネルを含む録画予約情報を管理し、前記録画開始時刻に録画予約された前記放送チャンネルが受信されるように前記データ受信部６１を制御すると共に前記表示画面制御部６２に対して録画予約が開始されたという情報を送出し、この後、前記録画終了時刻には前記表示画面制御部６２に対して録画予約が終了されたという情報を送出する録画予約情報管理部６４とを、
備えたことを特徴とする放送データ受信再生装置である。
【００１５】
以下、本発明の実施の形態を、好ましい実施例により、図と共に説明する。
図１は本発明の放送データ受信再生装置の一実施例ブロック構成図、図２は図１に示す本発明の放送データ受信再生装置で行なわれる処理のフローを示す図、図３は図１に示す入力信号記憶管理部で行なわれる処理のフローを示す図、図４は図１に示す表示画面制御部で行なわれる処理のフローを示す図、図５は本発明の放送データ受信再生装置で受信する放送データのデータ構成概要を示す図である。
【００１６】
まず、本発明の放送データ受信再生装置が受信する、放送局から送られる放送データのデータ構成を図５を用いて説明する。
本発明の放送データ受信再生装置が受信する放送データは、図５に示すように、動画、静止画、アニメーション、文字等の各種表示オブジェクトのデータ４１と、上記各種表示オブジェクトが画面上の何処に表示されるかを定義した画面レイアウト情報４３及び、ユーザによるリモコン操作のようにある特定のイベントが発生した際にどのような動作を行うかを定義した動作定義情報４４を含む表示画面定義データ４２とから構成される。
【００１７】
１表示画面毎に１つの表示画面定義データ４２が存在する。また各表示画面定義データ４２にはユニークなデータ名が付与されている。
動作定義情報４４には、リモコンの特定ボタン押下等の特定のイベント毎に、そのイベントが発生した際の放送データ受信再生装置での動作（画面遷移等）を記述することが出来る。例えば、リモコンの数字ボタン４が押された際には、データ名「スポーツ」が付与されている表示画面定義データ４２で定義される表示画面に遷移するといったような記述をすることが出来る。
【００１８】
次に、本発明における放送データ受信再生装置の一実施例について図１を用いて説明する。
本発明の放送データ受信再生装置の実施例Ａは、図１に示すように、データ受信部５１、表示画面制御部５２、画像出力部５３、入力装置（リモコン等）５５からの信号を受信する入力受信部５４、及び入力受信部５４で受信した信号を記憶管理する入力信号記憶管理部５６を備えている。
【００１９】
データ受信部５１は、データ放送により送出されるデータを受信する。受信したデータは表示画面制御部５２に送られる。
入力受信部５４は、リモコン等の入力装置からの入力（リモコン）信号を受信し、その入力信号を入力信号記憶管理部５６に送る。
入力信号記憶管理部５６は、入力受信部５４から送られた入力信号を時系列に記憶可能な入力信号バッファを有している。
【００２０】
表示画面制御部５２は、入力信号記憶管理部５６に記憶されている入力信号の内、最も古い入力信号を取出し、データ受信部５１から送られた放送データに基づき表示画面を制御する。
入力信号記憶管理部５６は、表示画面制御部５２が表示画面制御処理実行中に、入力受信部５４から送られた入力信号を記憶するか否かを管理する連続操作受付状態を有しており、連続操作受付状態が有効の場合は入力信号を記憶し、無効の場合は入力信号を記憶せずに破棄する。尚、連続操作受付状態は、ユーザ（の操作）により任意に有効か無効かを設定することが可能である。
画像出力部５３は、表示画面制御部５２の制御に基づき、表示画面の画像を接続された外部の表示装置（モニター）等へ出力する。
【００２１】
次に、入力信号記憶管理部５６における処理フローを、図３を用いて説明する。
ステップＳ２１では、入力受信部５４から入力信号が送られるのを待ち、入力信号が送られたらステップＳ２２に進む。
ステップＳ２２では、表示画面制御部５２が表示画面制御処理実行中の場合はステップＳ２３に進み、処理実行中で無い場合はステップＳ２５に進む。
ステップＳ２３では、連続操作受付状態が無効の場合はステップＳ２４に進み、有効の場合は、ステップＳ２５に進む。
ステップＳ２４では、入力信号を破棄し、ステップＳ２１に戻る。
ステップＳ２５では、入力信号を入力信号バッファに時系列に記憶し、ステップＳ２１に戻る。
【００２２】
次に、表示画面制御部５２における、入力信号の取出しとそれに伴う表示画面制御処理に関する処理フローを、図４を用いて説明する。
ステップＳ３１では、入力信号記憶管理部５６の入力信号バッファから最も古い入力信号を取出し、ステップＳ３２に進む。また、取出した入力信号は記憶バッファから削除する。尚、入力信号バッファに入力信号が記憶されていない場合は、入力信号記憶管理部５６によって入力信号が記憶されるまで待つ。
ステップＳ３２では、ステップＳ３１で取出した入力信号及びデータ受信部５１から送られた放送データに基づき表示画面を制御する。表示画面の制御が完了したら、ステップＳ３１に戻る。
【００２３】
次に、本発明における放送データ受信再生装置で行なわれる具体的な処理のフローを、図８で示した画面遷移構成のデータ放送番組を受信し、連続的なリモコン操作により画面４−１−２を表示させる場合について、図２を用いて説明する。
この説明においては、入力信号記憶管理部５６が有する連続操作受付状態は、ユーザがリモコンの「連続操作有効ボタン」を押したことにより有効と設定されたものとする。また、ユーザがリモコンの数字ボタンを４、１、２と連続的に押下したことを想定し、数字ボタン４押下に伴う表示画面制御部５２での表示画面の制御処理時間よりも早く数字ボタン１、２が押下されたものとする。
【００２４】
データ放送番組が開始されると、放送データを受信し、受信した放送データに基づき「画面０」を表示する（ステップＳ１）。
ユーザがリモコンの数字ボタン４を押下する（ステップＳ２）。
リモコンの数字ボタン４押下のリモコン信号が入力受信部５４で受信され、入力信号記憶管理部５６に送られる。この時、表示画面制御部５２が画面制御処理実行中では無いので、入力信号記憶管理部５６では、図３のステップＳ２２からステップＳ２５に進み、リモコン信号を入力信号バッファに時系列に記憶する（ステップＳ３）。
表示画面制御部５２は入力信号記憶管理部５６の入力信号バッファに記憶されている最も古い入力信号（数字ボタン４押下のリモコン信号）を取出し、受信している放送データに基づき画面４への遷移処理を開始する（ステップＳ４）。
【００２５】
ユーザがリモコンの数字ボタンの１を押下する（ステップＳ５）。
リモコンの数字ボタン１押下のリモコン信号が入力受信部５４で受信され、入力信号記憶管理部５６に送られる。この時、表示画面制御部５２が表示画面制御処理実行中であるので、入力信号記憶管理部５６では、図３のステップＳ２２からステップＳ２３に進み、連続操作受付状態が有効であるので、さらにステップＳ２３からステップＳ２５に進み、リモコン信号を入力信号バッファに時系列に記憶する。（ステップＳ６）
ユーザがリモコンの数字ボタンの２を押下する（ステップＳ７）。
【００２６】
リモコンの数字ボタン２押下のリモコン信号が入力受信部５４で受信され、入力信号記憶管理部５６に送られる。この時、表示画面制御部５２が表示画面制御処理実行中であるので、入力信号記憶管理部５６では、図３のステップＳ２２からステップＳ２３に進み、連続操作受付状態が有効であるので、さらにステップＳ２３からステップＳ２５に進み、リモコン信号を入力信号バッファに時系列に記憶する（ステップＳ８）。
【００２７】
表示画面制御部５２において、画面４への遷移処理が完了する（ステップＳ９）。
表示画面制御部５２は入力信号記憶管理部５６の入力信号バッファに記憶されている最も古い入力信号（数字ボタン１押下のリモコン信号）を取出し、受信している放送データに基づき画面４−１への遷移処理を開始する（ステップＳ１０）。
【００２８】
表示画面制御部５２において、画面４−１への遷移処理が完了する（ステップＳ１１）。
表示画面制御部５２は入力信号記憶管理部５６の入力信号バッファに記憶されている最も古い入力信号（数字ボタン２押下のリモコン信号）を取出し、受信している放送データに基づき画面４−１−２への遷移処理を開始する（ステップＳ１２）。
【００２９】
表示画面制御部５２において、画面４−１−２への遷移処理が完了する（ステップＳ１３）。
本時点では、入力信号バッファにリモコン信号が記憶されていないので、表示画面制御部５２は図４のステップＳ３１において待ち状態となる。また本時点では、画面４−１−２が画像出力部５３により外部の表示装置に表示されていることとなる。
【００３０】
こうして、本発明の放送データ受信再生装置Ａは、ユーザが自分の見たい目的の画面までのリモコン操作手順が分かっている場合、目的の画面を表示するまでに途中で表示される他の画面の遷移処理（表示完了）を待つことなしにリモコン操作を連続的に行なうことで、目的の画面を表示することができる効果がある。
【００３１】
次に、本発明における放送データ受信再生装置の他の実施例につき、図９を用いて説明する。
本発明の放送データ受信再生装置Ｂは、図９に示すように、データ受信部６１、表示画面制御部６２、画像出力部６３、録画予約情報管理部６４、入力装置（リモコン等）６６からの信号を受信する入力受信部６５を備えている。ここで、データ受信部６１、表示画面制御部６２、画像出力部６３、入力受信部６５、入力装置６６はそれぞれ、前述したデータ受信部５１、表示画面制御部５２、画像出力部５３、入力受信部５４、入力装置５５と同一構成である。録画予約情報管理部６４及び入力受信部６５はそれぞれ、表示画面制御部６２に直結される。
【００３２】
録画予約情報管理部６４は、録画開始時刻、録画終了時刻、放送チャンネル等の録画予約情報を管理し、録画予約された開始時刻に録画予約された放送チャンネルが受信されるようにデータ受信部６１を制御すると共に、表示画面制御部６２に対して録画予約が開始されたという情報を送る。また、録画予約された終了時刻には表示画面制御部６２に対して録画予約が終了されたという情報を送る。
【００３３】
また、録画予約実行中（録画予約情報管理部６４から録画予約が開始されたという情報を受けてから、録画予約が終了されたという情報を受けるまでの間）の場合は、データ受信部６１から受信した放送テータを解析し、画面遷移を伴う入力情報（イベント）を擬似的に表示画面制御部６２内部で発生させる。
画像出力部６３は、表示画面制御部６２の制御に基づき、表示画面の画像を、外部のアナログ録画装置（例えばＶＨＳビデオデッキ）等へ出力する。
【００３４】
次に、図９で示した放送データ受信再生装置Ｂにおいて録画予約が設定され、録画予約の実行により放送データ番組を受信した際の処理の流れを、図１０のフローを用いて説明する。
【００３５】
録画予約情報管理部６４に登録された録画予約情報の録画開始時刻になると、録画予約情報管理部６４からの制御によって、データ受信部６１において放送データ番組が受信される（ステップＳ４１）。
受信した放送データは表示画面制御部６２に出力され、放送データに基づき表示画面が制御される（ステップＳ４２）。
このステップと４１において、制御された表示画面は画像出力部６３を経由し、外部のアナログ録画装置（例えばＶＨＳビデオデッキ）等で録画されることになる。
【００３６】
現在の表示画像定義データ４２の動作定義情報４４を解析し、画面遷移を伴う動作定義情報を検索する（ステップＳ４３）  。
画面遷移を伴う動作定義情報４４があれば、その画面遷移を発生させる入力情報（イベント）を擬似的に表示画面制御部６２内部で発生させる（ステップＳ４４）。
【００３７】
ステップＳ４４で発生させた入力情報を動作定義情報４４に基づき、遷移先の表示画像定義データ４２を受信し（ステップＳ４４）、ステップ４２に戻り遷移先の表示画面が制御されることになる。
録画予約情報の録が終了時刻になると、上記の処理フローが終了する。
【００３８】
こうして、本発明の放送データ受信再生装置Ｂは、自動的に表示される最初の表示画面以外の表示画面も外部の録画装置で録画できるため、ユーザは録画した媒体を再生することにより自動的に表示される最初の表示画面以外の表示画面を視聴することができる。
【００３９】
【発明の効果】
以上に説明したように本発明によれば、ユーザが自分の見たい目的の画面までのリモコン操作手順が分かっている場合、目的の画面を表示するまでに途中で表示される他の画面の遷移処理（表示完了）を待つことなしにリモコン操作を連続的に行なうことで、目的の画面が表示されるので、画面遷移操作の操作性が向上した放送データ受信再生装置を提供することができる。
また、本発明によれば、自動的に表示される最初の表示画面以外の表示画面もアナログ録画装置（ＶＨＳデッキ等）で録画されているため、ユーザは録画した媒体を再生させることにより自動的に表示される最初の表示画面以外の表示画面も見ることが出来る放送データ受信再生装置を提供することができる。
【図面の簡単な説明】
【図１】本発明の放送データ受信再生装置の一実施例ブロック構成図。
【図２】図１に示す本発明の放送データ受信再生装置で行なわれる処理のフローを示す図。
【図３】図１に示す入力信号記憶管理部で行なわれる処理のフローを示す図。
【図４】図１に示す表示画面制御部で行なわれる処理のフローを示す図。
【図５】本発明の放送データ受信再生装置で受信する放送データのデータ構成概要を示す図。
【図６】データ放送番組開始時に自動的に表示される表示画面の一例を示す図。
【図７】リモコンの数字ボタン４が押された場合の画面遷移後の表示画面の一例を示す図。
【図８】データ放送番組の画面遷移構成の一例を示す図。
【図９】本発明の放送データ受信再生装置の他の実施例ブロック構成図。
【図１０】図９に示す本発明の放送データ受信再生装置で行なわれる処理のフローを示す図。
【符号の説明】
４１  表示オブジェクトのデータ（表示オブジェクトデータ）
４２  画面定義データ
４３  画面レイアウト情報
４４  動作定義情報
５１，６１  データ受信部（放送データ受信部）
５２，６２  表示画面制御部
５３，６３  画像出力部
５４，６５  入力受信部
５６  入力信号記憶管理部
６４  録画予約情報管理部
ａ  放送データ
Ａ，Ｂ  放送データ受信再生装置
ｂ  入力信号
ｃ  画像信号
Ｍ  表示装置
【図１】
2004260534.tif 000003
【図２】
2004260534.tif 000004
【図３】
2004260534.tif 000005
【図４】
2004260534.tif 000006
【図５】
2004260534.tif 000007
【図６】
2004260534.tif 000008
【図７】
2004260534.tif 000009
【図８】
2004260534.tif 000010
【図９】
2004260534.tif 000011
【図１０】
2004260534.tif 000012